(57)【要約】【課題】施工費用を削減した入退室管理システムを得ることを目的とする。【解決手段】カードリーダ３と通行管理制御部５の間に中継部４を設ける。中継部４は光源８を備え、カードリーダ３は光電変換器９を備えている。さらに、中継部４はカードリーダ３の天井付近に設置される。光源８と光電変換器９を用いてエネルギー供給を行うことにより、カードリーダ３に電力供給するためのケーブル配線が不要となる。これにより施工費用の削減を図ることができ、後から追加で入退室管理システムを設置する際に、特にその削減効果を発揮する。【選択図】図２
2005070906.tif 000002
【特許請求の範囲】
【請求項１】
個人識別情報を読み取る個人情報読取部と、
前記個人情報読取部で読み取られた個人識別情報に基づいて通行管理を行う通行管理制御部と
を備えた入退室管理システムにおいて、
前記通行管理制御部と接続され、前記個人情報読取部に無線でエネルギーを送出する送出手段を有する中継部をさらに備え、
前記個人情報読取部は、前記中継部からエネルギーを受け取る受入手段を備えたことを特徴とする入退室管理システム。
【請求項２】
請求項１に記載の入退室管理システムにおいて、
前記中継部は、前記個人情報読取部に対して上方位置に取り付けられることを特徴とする入退室管理システム。
【請求項３】
請求項１または２に記載の入退室管理システムにおいて、
前記送出手段は光エネルギーを照射する光源であり
前記受入手段は光エネルギーを電気エネルギーに変換する光電変換器である
ことを特徴とする入退室管理システム。
【請求項４】
請求項１ないし３のいずれか１項に記載の入退室管理システムにおいて、
前記個人情報読取部は、前記受入手段が受け取ったエネルギーを蓄積する蓄積手段をさらに備えたことを特徴とする入退室管理システム。
【請求項５】
請求項１ないし４のいずれか１項に記載の入退室管理システムにおいて、
前記中継部及び前記個人情報読取部は、相互にデータ通信を行うための無線通信手段をともに備えたことを特徴とする入退室管理システム。
【請求項６】
請求項５に記載の入退室管理システムにおいて、
前記中継部は、前記個人情報読取部近傍の人物の有無を検出する人物検知手段を備え、前記無線通信手段を用いて前記人物検知手段で検出した信号を前記個人情報読取部に送信し、
前記個人情報読取部は、前記人物検知手段から受信した前記信号に基づいて動作モードを切り替える
ことを特徴とする入退室管理システム。
【請求項７】
請求項５または６に記載の入退室管理システムにおいて、
前記無線通信手段は赤外線通信手段であることを特徴とする入退室管理システム。
【発明の詳細な説明】
【技術分野】
【０００１】
本発明は、通行を管理する入退室管理システムに関するものであり、例えばビルの入退室管理を行う入退室管理システムに関する。
【背景技術】
【０００２】
鉄道機関などの自動改札システムにおいて、無線カードリーダライタに対して無線カードをかざすことにより、自動改札装置が入札または出札の処理を行う無線カードシステムが開示されている（例えば、特許文献１参照）。
【０００３】
また、ビルの通行者の入退室管理を行う入退室管理システムとしては、ＩＤカードとカードリーダを併用したものが一般的に使用されている。ＩＤカードには個人を識別するためのＩＤ番号が個人識別情報としてあらかじめ書き込まれている。一方、カードリーダは、ＩＤカード内のＩＤ番号を読み取るために、建物の出入口や室内の出入口などの壁面に設置されている。出入口の扉を開放するために、通行者は保有しているＩＤカードをカードリーダに通す。カードリーダによって読み取られたＩＤ番号の情報は、カードリーダとつながれている通行管理制御部に送られる。通行管理制御部は送られてきたＩＤ番号の情報を解読し、解読結果に基づいて扉の開閉制御を行う。これにより通行管理制御部にあらかじめ登録されているＩＤ番号を有する通行者のみに入退室の許可を与えることが可能となる。
【０００４】
上述においてカードリーダは、通行管理制御部とケーブルで接続されている。すなわち、このケーブルを介して、カードリーダは通行管理制御部との通信を行っている。ここでカードリーダは、通行者が通る部屋や廊下などに相当する一般区画に設置される。一方、通行管理制御部は、通行者が直接操作するものではないため、機械室などに相当する設備区画に設置されることが多い。
【０００５】
【特許文献１】特開２００２−３２７２８号公報（第４頁、図４）
【発明の開示】
【発明が解決しようとする課題】
【０００６】
しかしながら、従来技術には次のような問題点がある。上述のようにそれぞれ異なる区画に設置されているカードリーダと通行管理制御部とをケーブルで接続するためには、かなりの施工（配線）費用がかかることとなる。さらに、カードリーダ自身に電力を供給するために、電源から、あるいは通行管理制御部から電力を取り込むためのケーブル配線も別途必要であり、さらに施工（配線）費用がかかることとなる。特に、入退室管理システムを既設のビルに追加で設置する場合には、これらの追加配線が必要となる。追加配線に伴う費用は、新築ビルのようにあらかじめ配線しておく場合と比べかなりの割高となる。
【０００７】
さらに、このような追加配線を行う場合、壁の中に配線を通すことは多大なコストがかかり現実的ではない。よって、通常は壁の表面に沿って配線を引き回すこととなる。しかし、特に一般区画においてカードリーダと通行管理制御部とを結ぶケーブル、あるいはカードリーダと電源とを結ぶケーブルが露出していると、大変見栄えが悪くなる。さらにケーブルが露出しているためにケーブル断線等の発生を招く恐れがある。
【０００８】
本発明は上述のような課題を解決するためになされたもので、施工費用を削減することができる入退室管理システムを得ることを目的とする。
【課題を解決するための手段】
【０００９】
本発明に係る入退室管理システムは、個人識別情報を読み取る個人情報読取部と、個人情報読取部で読み取られた個人識別情報に基づいて通行管理を行う通行管理制御部とを備えた入退室管理システムであって、通行管理制御部と接続され、個人情報読取部にエネルギーを送出する送出手段を有する中継部をさらに備え、個人情報読取部は、中継部からエネルギーを受け取る受入手段を備えたものである。
【発明の効果】
【００１０】
本発明の入退室管理システムは、送出手段と受入手段とを用いて、中継部から個人情報読取部にエネルギーを供給することにより、エネルギー供給に伴う個人情報読取部の配線を不要とし、施工費用の削減を図ることができるという利点がある。
【発明を実施するための最良の形態】
【００１１】
実施の形態
以下、本発明の実施の形態を図面に基づいて説明する。以下の実施の形態における入退室管理システムは、ビルの通行者の入退室管理を行うものである。図１は、本発明の実施の形態に係る入退室管理システムの構成図である。ビルの区画は、一般利用者が通行する一般区画１（具体的には部屋や廊下を指す）と、電気、水道などの設備が設置される設備区画２（具体的には機械室を指す）に大別される。
【００１２】
個人情報読取部に相当するカードリーダ３は、入退室管理を行う目的で一般区画１に設置されている。さらに、カードリーダ３の天井付近には中継部４が設置されている。カードリーダ３と中継部４との間の通信は無線化されており、通信用のケーブル配線が不要となっている。また、カードリーダ３を動作させるために必要な電力は、中継部４から供給される構成を取っている。
【００１３】
一方、設備区画２には、通行管理制御部５が設置されている。さらに、通行管理制御部５は、一般区画１に設置された中継部４とケーブル６により接続されている。このような構成を取ることにより、通行管理制御部５は、ケーブル６及び中継部４を介してカードリーダ３と通信することが可能となっている。カードリーダ３は、通行者の保有しているＩＤカード７から読み取ったＩＤ番号を中継部４に無線通信する。次に中継部４は、カードリーダ３から無線通信にて受信したＩＤ番号を、ケーブル６を介して通行管理制御部５に送信する。そして通行管理制御部５は受信したＩＤ番号を解読し、解読結果に基づいた制御信号を出力することにより扉の開閉制御を行う。
【００１４】
次に、カードリーダ３と中継部４との間のエネルギー供給及びデータ通信の詳細について、以下に説明する。図２は、本発明の実施の形態に係るカードリーダ３と中継部４の内部構成図である。なお、図２（ａ）は上面図、図２（ｂ）は側面図をそれぞれ表している。
【００１５】
まず始めに、中継部４からカードリーダ３に対するエネルギー供給について説明する。中継部４は、カードリーダ３に向かって光エネルギーを照射する光源８を備えている。一方、カードリーダ３は、光源８から照射された光エネルギーを受け取り電気エネルギーに変換する光電変換器９を備えている。カードリーダ３は、光電変換器９の発電電力を動作電力として使用することとなる。なお、ここで光源８は送出手段に相当し、光電変換器９は受入手段に相当する。また、光電変換器９としては例えば太陽電池を用いることができる。
【００１６】
このように、光源８と光電変換器９を用いたエネルギー供給を行うことにより、カードリーダ３に対して電力を供給するためのケーブル配線をなくすことができる。これにより施工費用の削減を図ることができ、後から追加で入退室管理システムを設置する際に特にその削減効果を発揮する。さらに、光源８は、夜間や曇天などビル内の照度が不足する場合でも、光電変換器９に安定した発電をもたらすことができる。さらに、深夜など廊下が真っ暗の時でもカードリーダ４およびその周囲を照らすことができる。
【００１７】
本実施の形態では、中継部４はカードリーダ３のほぼ真上の天井付近に設置されている。これにより、中継部４とカードリーダ３との間の支障物の影響をなくし、かつ中継部４とカードリーダ３の距離を近づけて設置することが可能となり、光電変換器９を効率よく発電させることができる。
【００１８】
次に、蓄電手段をさらに備えた場合の電力供給について説明する。図２において、カードリーダ３は蓄積手段に相当する蓄電池１０をさらに備えている。蓄電池１０は光電変換器９の発電電力の一部を利用して充電される。蓄電池１０は、光電変換器９から供給される動作電力が不足したときに、電力を補助的に供給する役目を果たす。これにより、光電変換器９の容量をカードリーダ３の最大電力に合わせて選定する必要がなくなり、光電変換器９の容量及びサイズを小さくすることができる。さらに、光電変換器９が何らかの原因（いたずらなど）でさえぎられ発電ができない場合でも、蓄電池１０からの電力供給により、カードリーダ３を動作させることができる。
【００１９】
次に、中継部４とカードリーダ３とのデータ通信を行うための無線通信手段について説明する。図２において、中継部４及びカードリーダ３は、無線通信手段の一種である赤外線通信手段１２をさらに備えている。カードリーダ３の天井付近に中継部４を設置して中間の障害物をなくすことにより、赤外線通信による無線通信を可能としている。カードリーダ３は、通行者の保有しているＩＤカード７から読み取ったＩＤ番号を、赤外線通信手段１２を用いて中継部４に送信することができる。
【００２０】
カードリーダ３と通行管理制御部５とのデータ通信は、中継部４を介さずに、電波を利用した無線により直接行うことも可能である。一方、中継部４を設置して、カードリーダ３と中継部４との赤外線通信を利用して、カードリーダ３と通行管理制御部５とのデータ通信を行うと、次のようなメリットがある。すなわち、赤外線通信を使用することにより、携帯電話の電波や近年オフィスで急速に普及している無線ＬＡＮの電波との混信を避けることができる。さらに、電波を利用した無線と比較すると消費電力を低く抑えることができる。
【００２１】
なお、図２においては、カードリーダ３と中継部４との通信に赤外線通信を利用した場合について説明したが、赤外線通信以外の無線通信方法も適用できる。赤外線通信以外の無線通信を利用した場合にも、赤外線通信を利用した場合と同様に次のメリットがある。すなわち、カードリーダ３と中継部４との間のデータ通信用のケーブルを不要にできるとともに、カードリーダ３は近距離にある中継部４との無線通信を行うことにより、無線通信の障害となる他の電波や支障物の影響を抑えた安定したデータ通信が行えることとなる。
【００２２】
次に、消費電力を抑えることができる別の方法について説明する。図２において、中継部４は人物検知手段に相当する人物センサ１１をさらに備えている。中継部４はカードリーダ３の天井付近に設置されており、人物センサ１１は、カードリーダ３の上部から、カードリーダ３の近傍に通行者がいるかどうかを検知する。さらに、人物センサ１１による検知信号は、赤外線通信手段１２により中継部４からカードリーダ３に伝えることができる。
【００２３】
カードリーダ３は、受信した人物センサ１１の検知信号に基づいて通行者が近傍にいるかいないかを識別できる。そして、人物センサ１１の検知信号がＯＦＦ状態（すなわち通行人が近傍にいない状態）においては、カードリーダ３は自らの動作モードを待機状態とする。一方、人物センサ１１の検知信号がＯＮ状態（すなわち通行人が近傍にいる状態）においては、カードリーダ３は自らの動作モードを通常状態に復帰させ、ＩＤカード７の読み取り動作に備えることとなる。
【００２４】
上述のようにカードリーダ３は、人物センサ１１の検知信号に基づいて動作モードを切り替え、通行者がいないときには動作モードを待機状態とすることにより、消費電力を抑えることができる。この結果として、光電変換器９と蓄電池１０の容量及びサイズを小さくすることができる。さらにカードリーダ３は、通行者がカードリーダ３を利用したいときには、人物センサ１１の検知信号に基づいて通行者がいる状態を事前に察知でき、動作モードを通常状態に復帰させておくことができる。
【００２５】
このようにカードリーダ３の動作モードを切り替えて消費電力を押さえるためには、人物センサ１１を中継部４ではなくカードリーダ３自身に取り付ける方法も考えられる。カードリーダ３自身が人物センサ１１を備えている場合には、カードリーダ３は検知信号を中継部４から受信する必要はなくなるが、人物センサ１１用の動作電力を光電変換器９または蓄電池１０から供給する必要がある。
【００２６】
一方、中継部４が人物センサ１１を備えている場合には、中継部４が検知信号をカードリーダ３に送信する必要がある。しかしその反面、人物センサ１１を天井付近に取り付けることが可能となり、検知エリアを広く取ることができ、障害物なしに上部から安定した検知信号を得ることができる。さらに、人物センサ１１用の動作電力を光電変換器９または蓄電池１０から供給する必要がなくなる。これによりカードリーダ３は、人物センサ１１の消費電力を負担する必要がなくなり、消費電力を抑えることが可能となる。
【図面の簡単な説明】
【００２７】
【図１】本発明の実施の形態に係る入退室管理システムの構成図である。
【図２】本発明の実施の形態に係るカードリーダと中継部の内部構成図である。
【符号の説明】
【００２８】
１  一般区画、２  設備区画、３  カードリーダ、４  中継部、５  通行管理制御部、６  ケーブル、７  ＩＤカード、８  光源、９  光電変換器、１０  蓄電池、１１  人物センサ、１２  赤外線通信手段。
【図１】
2005070906.tif 000003
【図２】
2005070906.tif 000004